(57)【特許請求の範囲】
【請求項１】
入力された交流電圧に含まれる第５高調波ノイズおよび第７高調波ノイズを除去して単相交流電圧を出力する単相の高調波フィルタであって、鉄心に３つの入力巻線と１つの出力巻線とが巻回されてなるフィルタ変圧器を備え、このフィルタ変圧器の前記３つの入力巻線にそれぞれ交流の入力電圧と，この入力電圧に対して位相が６０度遅れてなる第２の電圧と，前記入力電圧に対して位相が３０度遅れてなる第３の電圧が入力され、前記出力巻線が、前記入力電圧と，前記入力電圧に対して位相が６０度遅れるとともに前記入力電圧の振幅と同じ振幅を有する電圧と，前記入力電圧に対して位相が３０度遅れるとともに前記入力電圧の振幅のルート３倍の振幅を有する電圧とを合成した電圧を出力とするようにしたことを特徴とする単相高調波フィルタ。
【請求項２】
請求項１に記載の単相高調波フィルタにおいて、前記フィルタ変圧器の３つの入力巻線と出力巻線とのそれぞれの変圧比が互いに同じになるように構成され、もう１つの鉄心に２つの１次巻線と１つの２次巻線とが巻回されるとともに前記２つの１次巻線と前記２次巻線とのそれぞれの変圧比が１対１になるように構成されてなる前置変圧器が設けられ、前記入力電圧を三角結線の三相配電線における特定の相間電圧とし、前記第２の電圧を前記入力電圧より位相が６０度遅れた三相配電線のもう１つの相間電圧とし、前記第３の電圧を前記入力電圧と前記第２電圧とが前記前置変圧器の前記２つの１次巻線にそれぞれ入力されたときに前記２次巻線に誘起される電圧とすることを特徴とする単相高調波フィルタ。
【請求項３】
請求項２に記載の単相高調波フィルタにおいて、前記前置変圧器が前記フィルタ変圧器とともに一緒に１つの容器内に収納されてなることを特徴とする単相高調波フィルタ。
【請求項４】
請求項１に記載の単相高調波フィルタにおいて、入力電圧に対して位相を３０度遅らせて出力する第１の遅延回路が設けられ、前記入力電圧を三角結線の三相配電線における特定の相間電圧とし、前記第２の電圧を三相配電線における前記特定の相間電圧より位相が６０度遅れたもう１つの相間電圧とし、前記第３の電圧を前記入力電圧が入力された第１の遅延回路から出力される電圧とすることを特徴とする単相高調波フィルタ。
【請求項５】
請求項１に記載の単相高調波フィルタにおいて、入力電圧に対して位相を３０度遅らせて出力する第１の遅延回路と、入力電圧に対して位相を６０度遅らせて出力する第２の遅延回路とが設けられ、前記第３の電圧を前記入力電圧が入力された第１の遅延回路から出力される電圧とするとともに、前記第２の電圧を前記入力電圧が入力された第２の遅延回路から出力される電圧とすることを特徴とする単相高調波フィルタ。
【請求項６】
請求項１ないし５に記載のいずれかの単相高調波フィルタを用いて三相の交流電圧に含まれる第５高調波ノイズおよび第７高調波ノイズを除去する三相の高調波フィルタであって、前記入力電圧を三相の配電線における各相の相間電圧とし、この各相の相間電圧を前記３台のフィルタ変圧器のそれぞれに入力し、各フィルタ変圧器から出力されるそれぞれの電圧を三相電圧とすることを特徴とする三相高調波フィルタ。
【請求項７】
請求項６に記載の三相高調波フィルタにおいて、前記３台のフィルタ変圧器が１つの容器内に収納されてなることを特徴とする三相高調波フィルタ。
【発明の詳細な説明】
【０００１】
【発明の属する技術分野】
この発明は、商用周波電圧などの交流電圧に含まれる高調波ノイズを除去する単相および三相の高調波フィルタに関し、特に、高調波ノイズの内、第５高調波ノイズおよび第７高調波ノイズを除去する単相および三相の高調波フィルタに関する。
【０００２】
【従来の技術】
商用周波電圧などの交流電圧の負荷としてインバータが多くなると交流電圧の基本波形に高調波成分が重畳するようになり、交流電圧の基本波形に歪みが発生する。高調波とは、交流電圧の基本周波数に対する倍数の周波数のことを言い、例えば、第３高調波は基本周波数の３倍の周波数のことを、第５高調波は基本周波数の５倍の周波数のことをそれぞれ言う。一般に、電力系統の商用周波電圧には奇数の高調波成分が重畳し易く、奇数番号の少ない高調波になるほどその成分が多くなる。商用周波電圧に多くの高調波成分が含まれていると、機器の電子制御に障害が発生したり、回転機の駆動力や回転数に異変が生じたりする。そのために、従来は、電力系統にＬＣフィルタやアクティブフィルタ、あるいは、ノイズカット変圧器などの高周波フィルタが挿入されていた。ＬＣフィルタはインダクタとキャパシタとでもって必要とする周波数範囲のノイズを除去する装置であり、アクティブフィルタは電力系統の基本周波数に重畳するノイズ波形の逆極性の波形を瞬時に形成して電力系統に加えノイズをキャンセルする装置である。また、ノイズカット変圧器は１次巻線と２次巻線との間に静電シールドが介装されたものであり、１次側から２次側へ静電的に伝わる高周波分をカットする装置である。
【０００３】
【発明が解決しようとする課題】
しかしながら、前述したような従来の高周波フィルタは、電力系統の搬送信号も除去するので使用できる個所に制限があるという問題があった。
すなわち、電力系統の配電線には区分開閉器制御用の搬送信号が流されている場合がある。この搬送信号には数ｋＨｚ付近の周波数帯が使用され、従来の高周波フィルタを介装すると、この搬送信号も除去してしまうので電力系統に使用するには制限があった。そのために、配電線に重畳する高調波成分を取り除くのが非常に困難であった。高調波成分の内、第３高調波成分は三角結線変圧器を流れるときに各相同士で互いにキャンセルされるのでそれ程問題にならない。しかし、その次に大きい第５高調波成分や第７高調波成分が大きな問題になっている。この発明の目的は、第５高調波成分と第７高調波成分だけを除去する単相および三相の高調波フィルタを提供することにある。
【０００４】
【課題を解決するための手段】
上記目的を達成するために、この発明によれば、入力された交流電圧に含まれる第５高調波ノイズおよび第７高調波ノイズを除去して単相交流電圧を出力する単相の高調波フィルタであって、鉄心に３つの入力巻線と１つの出力巻線とが巻回されてなるフィルタ変圧器を備え、このフィルタ変圧器の前記３つの入力巻線にそれぞれ交流の入力電圧と，この入力電圧に対して位相が６０度遅れてなる第２の電圧と，前記入力電圧に対して位相が３０度遅れてなる第３の電圧が入力され、前記出力巻線が、前記入力電圧と，前記入力電圧に対して位相が６０度遅れるとともに前記入力電圧の振幅と同じ振幅を有する電圧と，前記入力電圧に対して位相が３０度遅れるとともに前記入力電圧の振幅のルート３倍の振幅を有する電圧とを合成した電圧を出力とするようにするとよい。入力電圧と、入力電圧に対して位相が６０度遅れるとともに入力電圧の振幅と同じ振幅を有する電圧と，入力電圧に対して位相が３０度遅れるとともに入力電圧の振幅のルート３倍の振幅を有する電圧との３つが合成されるので、第５高調波成分と第７高調波成分だけが除去される。
【０００５】
また、かかる構成において、前記フィルタ変圧器の３つの入力巻線と出力巻線とのそれぞれの変圧比が互いに同じになるように構成され、もう１つの鉄心に２つの１次巻線と１つの２次巻線とが巻回されるとともに前記２つの１次巻線と前記２次巻線とのそれぞれの変圧比が１対１になるように構成されてなる前置変圧器が設けられ、前記入力電圧を三角結線の三相配電線における特定の相間電圧とし、前記第２の電圧を前記入力電圧より位相が６０度遅れた三相配電線のもう１つの相間電圧とし、前記第３の電圧を前記入力電圧と前記第２電圧とが前記前置変圧器の前記２つの１次巻線にそれぞれ入力されたときに前記２次巻線に誘起される電圧とするようにしてもよい。それによって、三相配電線における相間電圧でもって，入力電圧に対して位相が６０度遅れるとともに入力電圧の振幅と同じ振幅を有する電圧を第２の電圧として得ることができ、前置変圧器でもって，入力電圧に対して位相が３０度遅れるとともに入力電圧の振幅のルート３倍の振幅を有する電圧を第３の電圧として得ることができる。
【０００６】
また、かかる構成において、前記前置変圧器が前記フィルタ変圧器とともに一緒に１つの容器内に収納されてなるようにしてもよい。それによって、単相の高調波フィルタがコンパクトになる。
また、かかる構成において、入力電圧に対して位相を３０度遅らせて出力する第１の遅延回路が設けられ、前記入力電圧を三角結線の三相配電線における特定の相間電圧とし、前記第２の電圧を三相配電線における前記特定の相間電圧より位相が６０度遅れたもう１つの相間電圧とし、前記第３の電圧を前記入力電圧が入力された第１の遅延回路から出力される電圧とするようにしてもよい。それによって、三相配電線における相間電圧でもって，入力電圧に対して位相が６０度遅れてなる第２の電圧を得ることができ、第１の遅延回路でもって，入力電圧に対して位相が３０度遅れてなる第３の電圧を得ることができる。
【０００７】
また、かかる構成において、入力電圧に対して位相を３０度遅らせて出力する第１の遅延回路と、入力電圧に対して位相を６０度遅らせて出力する第２の遅延回路とが設けられ、前記第３の電圧を前記入力電圧が入力された第１の遅延回路から出力される電圧とするとともに、前記第２の電圧を前記入力電圧が入力された第２の遅延回路から出力される電圧とするようにしてもよい。それによって、第１の遅延回路でもって，入力電圧に対して位相が３０度遅れてなる第３の電圧を得ることができ、第２の遅延回路でもって，入力電圧に対して位相が６０度遅れてなる第２の電圧を得ることができる。
【０００８】
また、かかる構成のいずれかの単相高調波フィルタを用いて三相の交流電圧に含まれる第５高調波ノイズおよび第７高調波ノイズを除去する三相の高調波フィルタであって、前記入力電圧を三相の配電線における各相の相間電圧とし、この各相の相間電圧を前記３台のフィルタ変圧器のそれぞれに入力し、各フィルタ変圧器から出力されるそれぞれの電圧を三相電圧とするようにしてもよい。それによって、三相の配電線における第５高調波成分と第７高調波成分とを除去することができる。
【０００９】
また、かかる構成において、前記３台のフィルタ変圧器が１つの容器内に収納されてなるようにしてもよい。それによって、三相の高調波フィルタがコンパクトになる。
【００１０】
【発明の実施の形態】
以下、この発明を実施例に基づいて説明する。図１は、この発明の実施例にかかる単相高調波フィルタの構成を示す回路図である。フィルタ変圧器１Ｘ（点線の枠内）の鉄心７Ａに巻数が互いに同じである３つの入力巻線２Ａ，２Ｂ，２Ｃと、１つの出力巻線３とが巻回されている。また、もう１つの鉄心７Ｂに２つの１次巻線５Ａ，５Ｂと、１つの２次巻線６とが巻回されてなる前置変圧器４（点線の枠内）が備えられている。２次巻線６の出力電圧は、入力巻線２Ｂに入力されている。端子Ａ，Ｂ，Ｃは、それぞれ図示されていない三角結線の三相配電線の各相に接続され、その端子間の電圧ベクトルは図２のようになっている。
【００１１】
図２は、三角結線された三相配電線の相間電圧のベクトル図である。すなわち、三角結線された三相配電線のそれぞれの相間電圧ベクトルは、端子ＡＢ間の電圧ＸN と、端子ＢＣ間の電圧ＹN と、端子ＣＡ間の電圧ＺN とからなり、この順に１２０度ずつ進んでいる。この図において、電圧ＸN-2 を電圧ＹN の逆向きのベクトル（すなわち、電圧ＹN とは振幅が同じでかつ１８０度遅れたベクトル）とすると、電圧ＸN-2 は、電圧ＸN より６０度遅れた６０度遅延電圧となる。さらに、電圧ＸN-1 を電圧ＸN より３０度遅れた３０度遅延電圧（すなわち、電圧ＸN とは振幅が同じでかつ３０度遅れたベクトル）とすると、電圧ＸN と電圧ＸN-2 とのベクトル和（すなわち、点Ｄから端子Ａへ向くベクトル）は、３０度遅延電圧ＸN-1 に対してその振幅がルート３倍された電圧となる。
【００１２】
図１に戻り、前置変圧器４の１次巻線５Ａに、端子Ａと端子Ｂとが接続され端子ＡＢ間の電圧ＸN が入力されている。また、１次巻線５Ｂに、端子Ｃと端子Ｂとが接続され端子ＣＢ間の電圧ＸN-2 が入力されている。ここで、フィルタ変圧器１Ｘの入力電圧ＸN を三角結線の配電線における特定の相間電圧である端子ＡＢ間の電圧とすると、１次巻線５Ａに入力電圧ＸN が入力され、１次巻線５Ｂにもう１つの相間電圧である端子ＣＢ間の電圧、すなわち、６０度遅延電圧ＸN-2 が入力されたことになる。前置変圧器４における１次巻線５Ａ，５Ｂと２次巻線６とのそれぞれの変圧比が１対１になるように構成しておけば、２次巻線６の出力電圧は、入力電圧ＸN と６０度遅延電圧ＸN-2 とのベクトル和となり、前述されたように３０度遅延電圧ＸN-1 のルート３倍になる。フィルタ変圧器１Ｘの入力巻線２Ａ，２Ｂ，２Ｃにそれぞれ入力電圧ＸN ，３０度遅延電圧ＸN-1 のルート３倍の電圧，６０度遅延電圧ＸN-2 を入力すると、出力巻線３の端子Ｒと端子Ｓとの間の出力電圧Ｕは、入力電圧ＸN と、３０度遅延電圧ＸN-1 のルート３倍の電圧と、６０度遅延電圧ＸN-2 とのベクトル和に比例した値となる。この出力電圧Ｕは、入力電圧ＸN に例え第５高調波成分や第７高調波成分が含まれていても消去され、商用周波電圧の基本波形だけが残る。すなわち、出力電圧Ｕは、
【００１３】
【数１】
Ｕ＝ＸN ＋√３・ＸN-1 ＋ＸN-2       （１）
という演算式でもって、第５高調波成分と第７高調波成分だけが消去されると言うことが分かっている。ここで、√は、その後に続く数字が平方根された値であるものと定義する。
【００１４】
入力電圧ＸN を（１）式でもってディジタル計算しその出力電圧Ｕを得るというディジタルフィルタは一般に公知であるが、この発明におけるフィルタ変圧器１Ｘのノイズ除去原理も（１）式に基づいている。しかし、フィルタ変圧器１Ｘはディジタル計算を実施しているのではなく、（１）式に従って電磁的に誘起された電圧のベクトル和をとっているのであり、ディジタルフィルタとはその機構が異なっている。また、ディジタルフィルタでは、その出力電圧Ｕからは大きな電力を得ることができない。フィルタ変圧器１Ｘは巻線の電磁的な結合なので、任意の容量の単相出力を得ることがでる。また、フィルタ変圧器１Ｘの３つの入力巻線に入力される電圧は三相配電線から容易に得ることができる。さらに、出力巻線３の巻数を調整することができるので、従来のＬＣフィルタやアクティブフィルタでは持ち合わせていない電圧の変換機能も有している。
【００１５】
図６は、商用周波数に第５高調波が重畳した場合に（１）式でもって演算処理された結果を示す波形図である。横軸が時間であり縦軸が電圧である。入力電圧ＸN を左上の波形とした場合、右上の波形が３０度遅延電圧ＸN-1 、左下の波形が６０度遅延電圧ＸN-2 、右下の波形が出力電圧Ｕである。この場合の入力電圧ＸN は１００％の商用周波数成分に２０％の第５高調波成分が重畳されたものである。出力電圧Ｕの波形では、第５高調波の成分が全く消去されていることが分かる。
【００１６】
図７は、商用周波数に第７高調波が重畳した場合に（１）式でもって演算処理された結果を示す波形図である。図の表示方法は図６の場合と同じである。この場合の入力電圧ＸN は１００％の商用周波数成分に２０％の第７高調波成分が重畳されたものである。この場合の出力電圧Ｕの波形でも、第７高調波の成分が全く消去されていることが分かる。
【００１７】
なお、図１におけるフィルタ変圧器１Ｘの入力巻線２Ａ，２Ｂ，２Ｃはその巻数が互いに同じになるように巻回されたが、入力巻線２Ａ，２Ｃの巻数を同じにするとともに、入力巻線２Ｂの巻数を他の入力巻線のそれよりルート３分の１倍になるようにしてもよい。その場合、入力巻線２Ｂには入力電圧ＸN と同じ振幅の３０度遅延電圧ＸN-1 が入力される。それによって、（１）式に従った出力電圧Ｕを得ることができる。入力電圧ＸN と同じ振幅の３０度遅延電圧ＸN-1 は、前置変圧器４では得られないが、次に示されるような遅延回路によって得ることができる。
【００１８】
図３は、この発明の異なる実施例にかかる単相高調波フィルタの構成を示す回路図である。フィルタ変圧器２Ｘが、鉄心７Ａに３つの入力巻線９Ａ，９Ｂ，９Ｃと、１つの出力巻線３とが巻回されて構成されている。入力巻線９Ａ，９Ｃの巻数を同じにするとともに、入力巻線９Ｂの巻数を他の入力巻線のそれよりルート３分の１倍としている。第１の遅延回路８の入力側（左側）に端子Ａと端子Ｂが接続され、端子ＡＢ間の電圧ＸN が第１の遅延回路８に入力されている。第１の遅延回路８は入力を３０度遅らせて出力する装置であって、例えば、インダクタとキャパシタとを梯子形に組み合わせた装置が用いられる。３０度を時間に直すと、基本の交流電圧の周波数が５０Ｈｚの場合は１．６７ｍｓ、基本の交流電圧の周波数が６０Ｈｚの場合は１．３９ｍｓである。それによって、第１の遅延回路８の出力側（右側）からは入力電圧ＸN と同じ振幅の３０度遅延電圧ＸN-1 が出力される。ここで、フィルタ変圧器２Ｘの入力電圧ＸN を三角結線の配電線における特定の相間電圧である端子ＡＢ間の電圧とすると、端子ＣＢ間の電圧が６０度遅延電圧ＸN-2 となる。フィルタ変圧器２Ｘの入力巻線９Ａ，９Ｂ，９Ｃにそれぞれ入力電圧ＸN ，３０度遅延電圧ＸN-1 ，６０度遅延電圧ＸN-2 が入力されると、出力巻線３の出力電圧Ｕは、入力電圧ＸN と、３０度遅延電圧ＸN-1 のルート３倍の電圧と、６０度遅延電圧ＸN-2 とのベクトル和に比例した値となり、（１）式の関係が満たされる。したがって、入力電圧ＸN に第５高調波成分や第７高調波成分が含まれていてもこれらは消去され、商用周波数の基本波形だけが残る。
【００１９】
なお、図３において、入力巻線９Ａ，９Ｂ，９Ｃの巻数比を互いに同じにするとともに、第１の遅延回路８と入力巻線９Ｂとの間に入力をルート３倍に昇圧する昇圧変圧器を介装してもよい。それによって、入力巻線９Ｂには、３０度遅延電圧ＸN-1 のルート３倍の電圧が入力され、（１）式に従った出力電圧Ｕが得られるようになる。
【００２０】
図４は、この発明のさらに異なる実施例にかかる単相高調波フィルタの構成を示す回路図である。第２の遅延回路１０の入力側（左側）にも端子Ａと端子Ｂが接続され、端子ＡＢ間の電圧ＸN が第２の遅延回路１０に入力されている。第２の遅延回路１０は入力を６０度遅らせて出力する装置である。第２の遅延回路１０の出力が入力巻線９Ｃに入力される。６０度を時間に直すと、基本の交流電圧の周波数が５０Ｈｚの場合は３．３３ｍｓ、基本の交流電圧の周波数が６０Ｈｚの場合は２．７８ｍｓである。図４のその他は、図３の構成と同じである。したがって、フィルタ変圧器２Ｘの入力巻線９Ａ，９Ｂ，９Ｃにそれぞれ入力電圧ＸN ，３０度遅延電圧ＸN-1 ，６０度遅延電圧ＸN-2 が入力され、出力巻線３には（１）式の関係が満たされた出力電圧Ｕが得られる。この場合の入力電圧ＸN は必ずしも三角結線の配電線における相間電圧でなくてもよい。
【００２１】
なお、図４においても、入力巻線９Ａ，９Ｂ，９Ｃの巻数比を互いに同じにするとともに、第１の遅延回路８と入力巻線９Ｂとの間に入力をルート３倍に昇圧する昇圧変圧器を介装してもよい。それによって、入力巻線９Ｂには、３０度遅延電圧ＸN-1 のルート３倍の電圧が入力され、（１）式に従った出力電圧Ｕが得られるようになる。
【００２２】
図５は、この発明のさらに異なる実施例にかかる三相高調波フィルタの構成を示す回路図であり、三相の出力電圧が得られる三相高調波フィルタの実施例を示すものである。図１で示されたものと全く同じ構成のフィルタ変圧器１Ｘ，１Ｙ，１Ｚが３台備えられている。フィルタ変圧器１Ｘ，１Ｙ，１Ｚのそれぞれの入力電圧を図２で示された三角結線の三相配電線の相間電圧ＸN ，ＹN ，ＺN とする。各フィルタ変圧器１Ｘ，１Ｙ，１Ｚについての結線を図１と同じようにすると、各出力電圧Ｕ，Ｖ，Ｗも三相電圧となる。したがって、各出力巻線３の端子Ｒ，Ｓ，Ｔから三相の電力が出力されるようになり、三相配電線における第５高調波および第７高調波だけを除去することができるようになった。
【００２３】
なお、図５の実施例における前置変圧器４の代わりに図３や図４の実施例で示された第１の遅延回路８や第２の遅延回路１０を用いてもよい。
また、図１における前置変圧器４とフィルタ変圧器１Ｘとを１つの容器に収納してもよい。それによって、単相の高調波フィルタをコンパクトにすることができる。また、さらに、図５の３台のフィルタ変圧器１Ｘ，１Ｙ，１Ｚも１つの容器に収納するか、あるいは、３台のフィルタ変圧器１Ｘ，１Ｙ，１Ｚと前置変圧器４とを全て１つの容器に収納してもよい。それによって、三相の高調波フィルタもコンパクトにすることができる。
【００２４】
また、前述されたいずれの実施例においても、その入力電圧は必ずしも商用周波数電圧でなくでもよい。この発明は、一般的に交流電圧の基本周波数に重畳する第５高調波および第７高調波を除去することができる。
【００２５】
【発明の効果】
この発明は前述のように、鉄心に３つの入力巻線と１つの出力巻線とが巻回されてなるフィルタ変圧器を備え、このフィルタ変圧器の前記３つの入力巻線にそれぞれ交流の入力電圧と，この入力電圧に対して位相が６０度遅れてなる第２の電圧と，前記入力電圧に対して位相が３０度遅れてなる第３の電圧が入力され、前記出力巻線が、前記入力電圧と，前記入力電圧に対して位相が６０度遅れるとともに前記入力電圧の振幅と同じ振幅を有する電圧と，前記入力電圧に対して位相が３０度遅れるとともに前記入力電圧の振幅のルート３倍の振幅を有する電圧とを合成した電圧を出力とするようにすることによって、入力電圧と、入力電圧に対して位相が６０度遅れるとともに入力電圧の振幅と同じ振幅を有する電圧と，入力電圧に対して位相が３０度遅れるとともに入力電圧の振幅のルート３倍の振幅を有する電圧との３つが合成されるので、第５高調波成分と第７高調波成分だけを除去することができ、配電線に搬送信号が流されている場合でもその搬送信号が消去されることがなく、配電線におけるフィルタの使用制限を無くすことができるようになった。
【００２６】
また、かかる構成において、前置変圧器がフィルタ変圧器とともに一緒に１つの容器内に収納されてなるようにすることによって、単相の高調波フィルタがコンパクトになり設備の経済性が向上する。
また、かかる構成のいずれかの単相高調波フィルタを用いて三相の交流電圧に含まれる第５高調波ノイズおよび第７高調波ノイズを除去する三相の高調波フィルタであって、入力電圧を三相の配電線における各相の相間電圧とし、この各相の相間電圧を３台のフィルタ変圧器のそれぞれに入力し、各フィルタ変圧器から出力されるそれぞれの電圧を三相電圧とするようにすることによって、三相の配電線における第５高調波成分と第７高調波成分だけを除去することができ、三相の配電線におけるフィルタの使用制限を無くすことができるようになった。
【００２７】
また、かかる構成において、３台のフィルタ変圧器が１つの容器内に収納されてなるようにすることによって、三相の高調波フィルタがコンパクトになり設備の経済性が向上する。
【図面の簡単な説明】
【図１】この発明の実施例にかかる単相高調波フィルタの構成を示す回路図
【図２】三角結線された三相配電線の相間電圧のベクトル図
【図３】この発明の異なる実施例にかかる単相高調波フィルタの構成を示す回路図
【図４】この発明のさらに異なる実施例にかかる単相高調波フィルタの構成を示す回路図
【図５】この発明のさらに異なる実施例にかかる三相高調波フィルタの構成を示す回路図
【図６】商用周波数に第５高調波が重畳した場合に（１）式でもって演算処理された結果を示す波形図
【図７】商用周波数に第７高調波が重畳した場合に（１）式でもって演算処理された結果を示す波形図
【符号の説明】
１Ｘ，２Ｘ，１Ｙ，１Ｚ：フィルタ変圧器、２Ａ，２Ｂ，２Ｃ，９Ａ，９Ｂ，９Ｃ：入力巻線、３：出力巻線、４：前置変圧器、５Ａ，５Ｂ：１次巻線，６：２次巻線、７Ａ，７Ｂ：鉄心、８：第１の遅延回路、１０：第２の遅延回路、ＸN ：入力電圧、ＸN-1 ：３０度遅延電圧、ＸN-2 ：６０度遅延電圧
【図１】
0003760715.tif 000002
【図２】
0003760715.tif 000003
【図３】
0003760715.tif 000004
【図４】
0003760715.tif 000005
【図５】
0003760715.tif 000006
【図６】
0003760715.tif 000007
【図７】
0003760715.tif 000008